【事件の表示】
　特願２００４−１５６２１２「コンテンツダウンロードシステムとそのクライアント装置」拒絶査定不服審判事件〔平成１７年１２月　８日出願公開、特開２００５−３３９１３０〕について、次のとおり審決する。
【結　論】
　本件審判の請求は、成り立たない。
【理　由】
第１　手続きの経緯・本願発明
　本願は、平成１６年５月２６日の出願であり、平成２２年６月１５日付けで拒絶査定がなされ、それに対して同年９月２２日に拒絶査定不服の審判請求がなされたものであって、その請求項１に係る発明は、平成２２年４月１２日付けの手続補正書により補正された明細書、特許請求の範囲及び図面の記載からみて、その特許請求の範囲の請求項１に記載された次のとおりのものと認める。（以下、「本願発明」という。）
　
「サーバ装置と、このサーバ装置に対し通信ネットワークを介して接続可能なクライアント装置とを備え、クライアント装置からの要求に応じて前記サーバ装置からクライアント装置に対しコンテンツをダウンロードするシステムにおいて、
　前記サーバ装置は、
　　前記コンテンツのダウンロードに先立ち、当該ダウンロード対象のコンテンツのダウンロード日時とその後の周期を指定する情報を含むタイミング指定情報を、前記クライアント装置に対し送信する手段と、
　　前記タイミング指定情報の送信に応答して前記クライアント装置からダウンロード要求が送られた場合に、前記ダウンロード対象のコンテンツを要求元のクライアント装置へ送信する手段と
を備え、
　前記クライアント装置は、
　　前記サーバ装置から送信されるタイミング指定情報を受信する手段と、
　　前記受信されたタイミング指定情報に含まれるダウンロード日時を指定する情報をもとに、前記ダウンロード対象のコンテンツを取得するための第１のダウンロード要求送信タイミングを設定すると共に、前記受信されたタイミング指定情報に含まれる周期を指定する情報をもとに、前記ダウンロード対象のコンテンツを取得するための第２のダウンロード要求送信タイミングを設定する手段と、
　　前記設定された第１のダウンロード要求送信タイミングに基づいて、前記第１のダウンロード要求を前記サーバ装置へ送信する手段と、
　　前記設定された第２のダウンロード要求送信タイミングに基づいて、前記第２のダウンロード要求を前記サーバ装置へ周期的に送信する手段と、
　　前記第１及び第２のダウンロード要求の送信に応答して前記サーバ装置から送信されるコンテンツを受信する手段と
を備えることを特徴とするコンテンツダウンロードシステム。」
　
第２　引用例
（１）原査定の拒絶の理由に引用された特開２００３−１８６８５１号公報（以下、「引用例１」という。）には、図面とともに次の記載がある。
（ア）「【０００２】
【従来の技術】従来より、所望のウェブページを所定のサーバから自動的にダウンロードするためのソフトウエアとして、自動巡回ソフトが知られている。この自動巡回ソフトは、ユーザが設定した周期で所定のサーバに接続し、所望のウェブページをダウンロードするものである。
【０００３】
【発明が解決しようとする課題】しかしながら、従来の自動巡回ソフトでは、巡回の周期をユーザが自ら設定する必要があったため、巡回の周期がウェブページの更新タイミングと合致せず、ウェブページの更新が全くされていないにもかかわらず接続を何度も行ったり、既に何回も更新がなされた後のウェブページをダウンロードし、必要な情報を逃したりすることがあった。
【０００４】本発明は、このような実情に鑑みてなされたものであり、ユーザが所望のコンテンツを取得するにあたり、そのダウンロードのタイミングを自ら設定する必要のないコンピュータプログラム、記録媒体、クライアントコンピュータ、サーバ、コンテンツ配信システムおよびコンテンツ配信方法を提供することを目的とする。」（段落【０００２】〜【０００４】）
　　　　　　　　　　
（イ）「【００５８】
【発明の実施の形態】以下、本発明の実施形態を図面に基づいて説明する。図１は本発明の一実施形態によるコンテンツ配信システムの構成図である。なお、本実施形態によるコンテンツ配信システムは、コンテンツの一例として電子出版物を配信するものであるが、本発明はこれに限定されるものではない。
【００５９】本実施形態によるコンテンツ配信システムは、図１に示すように、インターネットを介してそれぞれ接続された認証認証サーバ１０と、複数のコンテンツサーバ２０と、複数のユーザ端末３０とから構成されている。
【００６０】上記認証サーバ１０の主要な構成を図２に示す。認証サーバ１０は、主制御部１１と、出力制御部１２と、入力制御部１３と、第１の記憶装置１４ａと、第２の記憶装置１４ｂと、第３の記憶装置１４ｃと、第４の記憶装置１４ｄと、第５の記憶装置１４ｅとを備えている。
【００６１】主制御部１１は、ＣＰＵおよび主記憶装置（メモリ）等からなり、各部の制御や、データの転送、種々の演算、データの一時的な格納等を行い、出力制御部１２は、認証サーバ１０の外部に出力するデータを制御し、入力制御部１３は、認証サーバ１０の外部から入力されるデータを制御する。
【００６２】第１〜第４（審決注：「第４」の記載は「第５」の誤記と認められる。）の記憶装置１４ａ〜１４ｅは、それぞれハードディスク等の記憶装置（またはその中の一部のディスクもしくは記憶領域）からなり、第１の記憶装置１４ａにはメインプログラム１４１が記憶されており、第２の記憶装置１４ｂにはダウンロード用のアプリケーションプログラム１４２が記憶されており、第３の記憶装置１４ｃにはプロパティ情報データベース１４３が構成されており、第４の記憶装置１４ｄにはコンテンツ情報データベース１４４が構成されており、第５の記憶装置１４ｅにはユーザ情報データベース１４５が構成されている。」（段落【００５８】〜【００６２】）
　　　　
（ウ）「【００６５】プロパティ情報データベース１４３には、各コンテンツのプロパティ情報がそれぞれのコンテンツＩＤに関連付けられて記憶されている。プロパティ情報には、コンテンツ提供元であるコンテンツサーバ２０のＩＰアドレス、そのコンテンツサーバ２０へのアクセスタイミング、当該プロパティ情報の有効期限およびコンテンツ発行者に関する情報が含まれている。このプロパティ情報は、コンテンツ発行者から送信される情報に従って自動的にまたはマニュアルで生成される。
【００６６】なお、プロパティ情報に含まれるコンテンツサーバ２０へのアクセスタイミングは、多数のユーザ端末３０からコンテンツサーバ２０へのアクセスが集中しないように、プロパティ情報毎にある程度時間をずらすのが好ましい。このようなアクセスタイミングは、例えば乱数を利用して設定することができる。」（段落【００６５】、【００６６】）
　　　　
（エ）「【００７７】次に、プロパティ情報を取得する場合における認証サーバ１０およびユーザ端末３０の処理動作について説明する（図４）。
【００７８】ユーザが、ユーザ端末３０にインストールされたコンテンツ管理ソフトを立ち上げ、そのコンテンツ管理ソフトからインターネットを介して認証サーバ１０に対してログインを要求すると、ユーザ端末３０は、記憶しているユーザＩＤおよびパスワードを認証サーバ１０に対して送信する（ＳＵ１０６）。認証サーバ１０の主制御部１１は、そのユーザＩＤおよびパスワードを受信し（ＳＡ１０５）、ユーザ情報データベース１４５を参照して、受信したユーザＩＤおよびパスワードが正しいか否かを判断し、正しいと判断した場合には、ログインを許可するログイン情報をユーザ端末３０に対して送信する（ＳＡ１０６）。
【００７９】ユーザ端末３０が上記ログイン情報を受信した後（ＳＵ１０７）、ユーザが利用可能なコンテンツの一覧であるコンテンツリストを要求すると、ユーザ端末３０は、コンテンツリスト要求情報を認証サーバ１０に対して送信する（ＳＵ１０８）。認証サーバ１０の主制御部１１は、そのコンテンツリスト要求情報を受信して（ＳＡ１０７）、コンテンツ情報データベース１４４から読み出したコンテンツリストの画面データを生成し、ユーザ端末３０に対して送信する（ＳＡ１０８）。
【００８０】上記コンテンツリストの画面データを受信したユーザ端末３０のディスプレイには、図９に示すようなコンテンツリスト画面４０がコンテンツ管理ソフトにて表示される（ＳＵ１０９）。図９に示すように、コンテンツリスト画面４０には、ユーザが利用可能なコンテンツのタイトル４１１が列挙されたリスト４１と、コンテンツに関する情報（出版元，タイトル，発行日，契約期間，金額，目次）が表示された情報ボックス４２と、「申し込み」と表示されたクリックボタン（申し込みボタン）４３とが含まれている。なお、リスト４１中におけるタイトル４１１はクリッカブルになっており、マウス・ポインタによってクリックされたタイトル４１１に係るコンテンツの情報が情報ボックス４２に表示されるようになっている。
【００８１】ユーザが、ユーザ端末３０のマウス・ポインタによって、リスト４１中所望のタイトル４１１を選択して申し込みボタン４３をクリックすると、その選択されたタイトル４１１に関連付けられたコンテンツＩＤが、ユーザ端末３０から認証サーバ１０に対して送信される（ＳＵ１１０）。
【００８２】認証サーバ１０の主制御部１１は、上記コンテンツＩＤを受信し（ＳＡ１０９）、当該コンテンツＩＤに関連付けられているプロパティ情報をプロパティ情報データベース１４３から検索して（ＳＡ１１０）、得られたプロパティ情報を、当該ユーザのユーザＩＤとともにユーザ端末３０に対して送信する（ＳＡ１１１）。上述したとおり、プロパティ情報には、上記コンテンツＩＤに係るコンテンツの提供元であるコンテンツサーバ２０のＩＰアドレス、そのコンテンツサーバ２０へのアクセスタイミング、当該プロパティ情報の有効期限およびコンテンツ発行者に関する情報が含まれている。
【００８３】ユーザ端末３０は、上記プロパティ情報およびユーザＩＤを受信・記憶して、そのユーザＩＤが当該ユーザのユーザＩＤであるか否か確認し（ＳＵ１１１）、当該ユーザのユーザＩＤであると確認できた場合には、確認情報を認証サーバ１０に対して送信する（ＳＵ１１２）。そして、ユーザ端末３０は、受信したプロパティ情報に基づいて、コンテンツのダウンロードにつきコンテンツ管理ソフトの設定を行う（ＳＵ１１３）。
【００８４】認証サーバ１０の主制御部１１は、上記確認情報を受信し（ＳＡ１１２）、ユーザ情報データベース１４５において、当該ユーザのユーザＩＤに関連付けて上記コンテンツＩＤを記憶する（ＳＡ１１３）。なお、認証サーバ１０においては、ユーザ情報データベース１４５に記憶した情報およびコンテンツ情報データベース１４４に記憶されている情報に従って、課金処理を行うことができるようになっているものとする。
【００８５】プロパティ情報に従って設定されたコンテンツ管理ソフトにおいては、ユーザからの要求に応じて、図１０に示すように、当該ユーザが申し込んだ契約済みのコンテンツリスト画面５０を表示できるようになっている。この契約済みコンテンツリスト画面５０のデータは、認証サーバ１０（ユーザ情報データベース１４５・コンテンツ情報データベース１４４）から取得することができる。
【００８６】図１０に示すように、契約済みコンテンツリスト画面５０には、ユーザが契約したコンテンツのタイトル５１１が列挙されたリスト５１と、コンテンツに関する情報（出版元，タイトル，前回取得日，次回取得日，契約開始日，契約終了日）が表示された情報ボックス５２とが含まれている。なお、リスト５１中におけるタイトル５１１はクリッカブルになっており、マウス・ポインタによってクリックされたタイトル５１１に係るコンテンツの情報が情報ボックス５２に表示されるようになっている。
【００８７】次に、プロパティ情報に基づいてコンテンツをダウンロードする場合における認証サーバ１０、コンテンツサーバ２０およびユーザ端末３０の処理動作について説明する（図５〜図８）。
【００８８】コンテンツ管理ソフトが設定されたユーザ端末３０は、プロパティ情報の有効期限が切れていないか否かを判断し（ＳＵ１１４）、有効期限が切れていると判断した場合には、「プロパティ情報の有効期限が切れています。」等の警告をユーザ端末３０のディスプレイに表示する（ＳＵ１１５）。一方、ユーザ端末３０は、有効期限が切れていないと判断した場合には、現在がコンテンツサーバ２０へのアクセスタイミングか否かを判断し（ＳＵ１１６）、アクセスタイミングであると判断した場合には、認証サーバ１０に対してユーザＩＤおよびコンテンツＩＤを含む認証の要求情報を送信する（ＳＵ１１７）。
【００８９】認証サーバ１０の主制御部１１は、上記認証の要求情報を受信し（ＳＡ１１４）、ユーザ情報データベース１４５を参照して認証を行う（ＳＡ１１５）。そして、認証サーバ１０の主制御部１１は、認証が正しくできなかった場合には、警告情報をユーザ端末３０に対して送信し（ＳＡ１１６）、その情報を受信したユーザ端末３０のディスプレイには、「認証が正しくできませんでした。」等の警告情報が表示される（ＳＵ１１８）。
【００９０】認証サーバ１０の主制御部１１は、認証が正しくできた場合には、ユニークなコンテンツ利用鍵を生成して当該ユーザのユーザＩＤと関連付けて記憶し（ＳＡ１１７）、そのコンテンツ利用鍵をユーザ端末３０に対して送信する（ＳＡ１１８）。
【００９１】ユーザ端末３０は、上記コンテンツ利用鍵を受信したら（ＳＵ１１９）、コンテンツ管理ソフトに設定されたコンテンツサーバ２０に対して、ユーザＩＤ、コンテンツ利用鍵および当該コンテンツを前回ダウンロードした日の情報を含むダウンロードの要求情報を送信する（ＳＵ１２０）。
【００９２】コンテンツサーバ２０の主制御部は、上記ダウンロードの要求情報を受信し（ＳＣ１０１）、受信したユーザＩＤおよびコンテンツ利用鍵について、認証サーバ１０に対して確認の要求情報を送信する（ＳＣ１０２）。認証サーバ１０の主制御部１１は、ユーザＩＤおよびコンテンツ利用鍵を含む確認の要求情報を受信し（ＳＡ１１９）、受信したユーザＩＤおよびコンテンツ利用鍵が上記ステップＳＡ１１７で記憶したユーザＩＤおよびコンテンツ利用鍵と一致するか否か判断し、一致すると判断した場合には、コンテンツ利用鍵確認情報をコンテンツサーバ２０に対して送信する（ＳＡ１２０）。
【００９３】コンテンツサーバ２０の主制御部は、上記コンテンツ利用鍵確認情報を受信したら（ＳＣ１０３）、送信すべきコンテンツを検索し（ＳＣ１０４）、ユーザ端末３０に対して送信する（ＳＣ１０５）。このコンテンツ（電子出版物）のヘッダには、ユーザＩＤ、発行者プロパティ、コンテンツ詳細ＩＤ、表示用ビューア識別子、表示用ビューア取得サーバアドレス、当該コンテンツの有効期限、当該コンテンツのデータサイズ等が記述されている。
【００９４】なお、コンテンツサーバ２０がコンテンツを検索するにあたっては、コンテンツサーバ２０が上記ステップＳＣ１０１で受信した前回ダウンロード日に基づいて、当該ユーザに送信すべき最新のコンテンツを判断することができる。」（段落【００７７】〜【００９４】）
　　　　
（オ）「【０１０７】以上のコンテンツ配信システムにおいては、コンテンツのプロパティ情報がコンテンツ毎に設けられているため、そのプロパティ情報によって、コンテンツのダウンロードに関する情報についてコンテンツ毎に詳細に設定することができる。ユーザは、このプロパティ情報をユーザ端末３０のコンテンツ管理ソフトに取り込むことにより、所望のコンテンツを自動的に取得することができるため、ダウンロードのタイミング等を自ら設定する必要がない。また、コンテンツの提供者は、自分の都合に合わせてダウンロードのタイミングを設定することができるため、コンテンツサーバ２０へのアクセス集中を防止することや、コンテンツ更新前のダウンロードを防止すること等ができる。」（段落【０１０７】）
　　　　
　以上の記載によれば、この引用例１には以下のような発明（以下、「引用発明」という。）が開示されていると認められる。
「インターネットを介してそれぞれ接続された認証サーバ１０と、複数のコンテンツサーバ２０と、複数のユーザ端末３０から成るコンテンツ配信システムであって、
　前記認証サーバ１０は、前記ユーザ端末３０で選択したコンテンツのタイトルに関連したコンテンツＩＤに関連付けられたプロパティ情報を、前記ユーザ端末３０に送信する手段と、
　前記コンテンツサーバ２０は、前記ユーザ端末３０からコンテンツの要求情報を受信し、当該コンテンツを前記ユーザ端末３０に送信する手段と
を備え、　
　前記プロパティ情報は、コンテンツの提供元であるコンテンツサーバ２０のＩＰアドレスおよびそのコンテンツサーバ２０へのアクセスタイミングを含み、コンテンツサーバ２０へのアクセスタイミングは、多数のユーザ端末３０からコンテンツサーバ２０へのアクセスが集中しないように、プロパティ情報毎にある程度時間をずらすものであり、
　前記ユーザ端末３０は、コンテンツ管理ソフトを有し、
　ユーザが利用可能なコンテンツの一覧であるコンテンツリストを認証サーバ１０から受信し、コンテンツのタイトルが列挙されたリストとリスト中の所望のコンテンツのタイトルをユーザに選択させるクリックボタン（申し込みボタン）４３を表示する手段と、
　選択されたコンテンツの提供元であるコンテンツサーバ２０のＩＰアドレスおよびそのコンテンツサーバ２０へのアクセスタイミングを含むプロパティ情報を、前記認証サーバ１０から受信・記憶する手段と、
　現在がコンテンツサーバ２０へのアクセスタイミングか否かを判断し、アクセスタイミングであると判断した場合には、コンテンツサーバ２０に対して、当該コンテンツのダウンロードの要求情報を送信する手段と、
　を備えたコンテンツ配信システム。」
　　
（２）原査定の拒絶の理由に引用された「高木　優，プッシュで増すトラフィックキャッシュ・サーバで緩和，日経バイト，日本，日経ＢＰ社，１９９７年１１月２２日，第１７２号，ｐ２１４−２１９」（以下、「引用例２」という。）には、図面とともに次の記載がある。
（ア）「インターネットを用いて自動的にデータを配信しクライアントに最新の情報を保持させるしくみを，従来のＷＷＷブラウザのようにクライアントが情報を引き出す（プル）必要がないことからプッシュ技術と呼ぶ。
現在主流のプッシュ製品は，実際にはバックグラウンドでクライアントが一定のスケジュールに従ってサーバにアクセスしており技術的にはプルと変わらない。これを「疑似プッシュ」あるいは「スマート・プル」という。」（第２１５頁左欄下から８行〜中欄第４行）
　　　
（イ）「図４は、IE4のActive Channel によるプッシュのしくみである。・・・（中略）・・・
チャネル提供者は視聴者の利便性とトラフィックの双方を考慮して配信スケジュールを設定することが重要になる。Active Channel は，CDF ファイルを登録するとチャネルごとに記述された＜SCHEDULE＞＜／SCHEDULE＞タグを参照する。リスト１の例は，毎日午前１時から午前７時の間に更新を行う設定である。Active Channel はタグで指定された時間内からランダムに更新日時を指定し更新を行う。」（第２１７頁右欄第５行〜第２１８中欄第５行）
　　
（ウ）図４の説明として「図４　IE4のActive Channel によるスケジューリングのしくみ　（B）Active Channel は，コンテンツ提供者から受信したCDF ファイルに基づいてクライアントが配信サーバにリクエストを出す」と記載され、図４には、配信サーバからクライアントがスケジュールを受信し、リクエストを配信サーバに送信し、配信サーバからクライアントにコンテンツが配信されることが示され、リスト１のCDF ファイルの例には、＜SCHEDULE＞＜／SCHEDULE＞間の更新スケジュールに、＜Interval Time DAY=”1” /＞　毎日　と記載されている。
　　　
第３　対　比
　本願発明と引用発明とを対比する。
（１）引用発明の「認証サーバ１０」及び「コンテンツサーバ２０」は、本願発明の「サーバ装置」に相当する。
（２）引用発明の「ユーザ端末３０」は、本願発明の「クライアント装置」に相当する。
（３）引用発明の「インターネットを介してそれぞれ接続された認証サーバ１０と、複数のコンテンツサーバ２０と、複数のユーザ端末３０から成るコンテンツ配信システム」は、本願発明の「サーバ装置と、このサーバ装置に対し通信ネットワークを介して接続可能なクライアント装置とを備え、クライアント装置からの要求に応じて前記サーバ装置からクライアント装置に対しコンテンツをダウンロードするシステム」に相当するといえる。
（４）引用発明のプロパティ情報に含まれる「コンテンツサーバ２０へのアクセスタイミング」は、ユーザ端末３０において、アクセスタイミングであると判断した場合には、コンテンツサーバ２０に対して、当該コンテンツのダウンロードの要求情報を送信するものであり、多数のユーザ端末３０からコンテンツサーバ２０へのアクセスが集中しないように、プロパティ情報毎にある程度時間をずらすものであるから、本願発明の「前記コンテンツのダウンロードに先立ち、当該ダウンロード対象のコンテンツのダウンロード日時とその後の周期を指定する情報を含むタイミング指定情報」と「ダウンロード対象のコンテンツのダウンロード日時を含むタイミング指定情報」である点で対応する。
（５）引用発明の「前記認証サーバ１０は、前記ユーザ端末３０で選択したコンテンツのタイトルに関連したコンテンツＩＤに関連付けられたプロパティ情報を、前記ユーザ端末３０に送信する手段」を備える点は、本願発明の「前記サーバ装置は、前記コンテンツのダウンロードに先立ち、当該ダウンロード対象のコンテンツのダウンロード日時とその後の周期を指定する情報を含むタイミング指定情報を、前記クライアント装置に対し送信する手段」を備える点と、「前記サーバ装置は、前記コンテンツのダウンロードに先立ち、当該ダウンロード対象のコンテンツのダウンロード日時を含むタイミング指定情報を、前記クライアント装置に対し送信する手段」を備える点で対応する。
（６）引用発明の「前記コンテンツサーバ２０は、前記ユーザ端末３０からコンテンツの要求情報を受信し、当該コンテンツを前記ユーザ端末３０に送信する手段」を備える点は、本願発明の「前記サーバ装置は、前記タイミング指定情報の送信に応答して前記クライアント装置からダウンロード要求が送られた場合に、前記ダウンロード対象のコンテンツを要求元のクライアント装置へ送信する手段」を備える点に相当するといえる。
（７）引用発明の「前記ユーザ端末３０は、」「前記選択されたコンテンツの提供元であるコンテンツサーバ２０のＩＰアドレスおよびそのコンテンツサーバ２０へのアクセスタイミングを含むプロパティ情報を、前記認証サーバ１０から受信・記憶する手段」を備える点は、本願発明の「前記クライアント装置は、前記サーバ装置から送信されるタイミング指定情報を受信する手段」を備える点に相当する。
（８）引用発明の「前記ユーザ端末３０は、」「現在がコンテンツサーバ２０へのアクセスタイミングか否かを判断し、アクセスタイミングであると判断した場合には、コンテンツサーバ２０に対して、当該コンテンツのダウンロードの要求情報を送信する手段」を備える点は、本願発明の「前記クライアント装置は、」「前記受信されたタイミング指定情報に含まれるダウンロード日時を指定する情報をもとに、前記ダウンロード対象のコンテンツを取得するための第１のダウンロード要求送信タイミングを設定すると共に、前記受信されたタイミング指定情報に含まれる周期を指定する情報をもとに、前記ダウンロード対象のコンテンツを取得するための第２のダウンロード要求送信タイミングを設定する手段と、前記設定された第１のダウンロード要求送信タイミングに基づいて、前記第１のダウンロード要求を前記サーバ装置へ送信する手段」を備える点と、「前記受信されたタイミング指定情報に含まれるダウンロード日時を指定する情報をもとに、前記ダウンロード対象のコンテンツを取得するための第１のダウンロード要求送信タイミングを設定する手段と、前記設定された第１のダウンロード要求送信タイミングに基づいて、前記第１のダウンロード要求を前記サーバ装置へ送信する手段」を備える点で対応するといえる。
（９）引用発明は、前記コンテンツサーバ２０は、前記ユーザ端末３０からコンテンツの要求情報を受信し、当該コンテンツを前記ユーザ端末３０に送信しているから、ユーザ端末３０は、コンテンツの要求情報の送信に応答し、コンテンツサーバ２０から当該コンテンツを受信していることは明かであり、このことは、本願発明の「前記クライアント装置は、」「前記第１及び第２のダウンロード要求の送信に応答して前記サーバ装置から送信されるコンテンツを受信する手段」を備える点と、「前記クライアント装置は、」「前記第１の送信に応答して前記サーバ装置から送信されるコンテンツを受信する手段」を備える点で対応する。
　　
　したがって、本願発明の用語を用いて表現すると両者は、
「サーバ装置と、このサーバ装置に対し通信ネットワークを介して接続可能なクライアント装置とを備え、クライアント装置からの要求に応じて前記サーバ装置からクライアント装置に対しコンテンツをダウンロードするシステムにおいて、
　前記サーバ装置は、
　　前記コンテンツのダウンロードに先立ち、当該ダウンロード対象のコンテンツのダウンロード日時を含むタイミング指定情報を、前記クライアント装置に対し送信する手段と、
　　前記タイミング指定情報の送信に応答して前記クライアント装置からダウンロード要求が送られた場合に、前記ダウンロード対象のコンテンツを要求元のクライアント装置へ送信する手段と
を備え、
　前記クライアント装置は、
　　前記サーバ装置から送信されるタイミング指定情報を受信する手段と、
　　前記受信されたタイミング指定情報に含まれるダウンロード日時を指定する情報をもとに、前記ダウンロード対象のコンテンツを取得するための第１のダウンロード要求送信タイミングを設定する手段と、
　　前記設定された第１のダウンロード要求送信タイミングに基づいて、前記第１のダウンロード要求を前記サーバ装置へ送信する手段と、
　　前記第１ダウンロード要求の送信に応答して前記サーバ装置から送信されるコンテンツを受信する手段と
を備えることを特徴とするコンテンツダウンロードシステム。」
で一致するものであり、次の点で相違している。
（相違点）
　本願発明では、サーバ装置からクライアント装置に対して送信されるタイミング指定情報には、その後の周期を指定する情報が含まれており、クライアント装置は、このその後の周期を指定する情報に基づいてダウンロード対象のコンテンツを取得するための第２のダウンロード要求タイミングを設定し、該設定された第２のダウンロード要求タイミングに基づいて第２のダウンロード要求を周期的に送信し、クライアント装置はこの第２のダウンロード要求の送信に応答してサーバ装置から送信されるコンテンツを周期的に受信しているのに対して、引用発明にはこのような構成は記載されていない点。
　　
第４　当審の判断
　上記相違点について検討する。
　引用例２には、配信サーバはユーザの利便性とトラフィックの双方を考慮して配信スケジュールを設定し、配信スケジュールをクライアントに送信し、クライアントは受信した当該配信スケジュールに従ってリクエストを送信し、配信サーバはコンテンツをクライアントに配信すること、例えば、毎日午前１時から午前７時の間に更新を行う設定であることが記載されているから、サーバ装置からクライアント装置に対して送信されるタイミング指定情報には、更新周期を指定する情報が含まれており、クライアント装置は、この更新周期を指定する情報に基づいてダウンロード対象のコンテンツを取得するためのダウンロード要求タイミングを設定し、該設定されたダウンロード要求タイミングに基づいてダウンロード要求を周期的に送信し、クライアント装置は、このダウンロード要求の送信に応答してサーバ装置から送信されるコンテンツを周期的に受信していることが示されている。
　また、サーバが、データ取得装置に対して、次回以降に読み出し要求を行う時間間隔を通知し、データ取得装置が、次回からダウンロードサーバから通知された周期で読み出し要求を行うことは、本願出願前周知の技術（例えば、特開２００２−３６６３６５号公報、段落【００５３】〜【００５５】の記載参照）である。
　したがって、上記引用例２記載の技術及び周知技術を適用することにより、引用発明において、サーバ装置からクライアント装置に対して送信されるタイミング指定情報に、その後の周期を指定する情報が含むようにし、クライアント装置は、このその後の周期を指定する情報に基づいてダウンロード対象のコンテンツを取得するための第２のダウンロード要求タイミングを設定し、該設定された第２のダウンロード要求タイミングに基づいて第２のダウンロード要求を周期的に送信し、クライアント装置はこの第２のダウンロード要求の送信に応答してサーバ装置から送信されるコンテンツを周期的に受信するようにすることは、当業者であれば容易になし得ることである。
　　　　
　また、本願発明の作用効果も、引用発明、引用例２記載の技術及び周知技術から、当業者であれば予想できる範囲内のものである。
　　　
第５　むすび
　以上のとおり、本願発明は、引用発明、引用例２記載の技術及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。